(57)【要約】  ディスプレイパネル及びその製造方法、ディスプレイ装置、及びディスプレイ装置を提供する。そのディスプレイパネルは、互いに対して対向して配置されているアレイ基板(10)及びカラーフィルム基板(20)と、アレイ基板(10)とカラーフィルム基板(20)との間に位置する液晶分子と、液晶分子を密封する密封構造(30)と、を含み、密封構造(30)は、アレイ基板(10)及びカラーフィルム基板(20)の側面に少なくとも部分的に位置している。液晶分子を密封する密封構造(30)は、少なくとも部分的に、アレイ基板(10)及びカラーフィルム基板(20)の側面に配置されて、密封構造(30)の密封適性を保証しつつ、アレイ基板(10)とカラーフィルム基板(20)との間の密封構造(30)の面積を減少させる。このように、密封構造(30)の密封適性を保証しつつ、アレイ基板(10)とカラーフィルム基板(20)との間の黒枠領域を狭くし、それにより、同じサイズのディスプレイパネルにおいて、狭いフレームを実現するとともに、表示領域の面積を増加させる。
2020530139.tif 000002
【特許請求の範囲】
【請求項１】
ディスプレイパネルであって、
互いに対して対向して配置されているアレイ基板及びカラーフィルム基板と、
前記アレイ基板と前記カラーフィルム基板との間に位置する液晶分子と、
前記液晶分子を密封する密封構造と、を含み、前記密封構造は、前記アレイ基板及び前記カラーフィルム基板の側面に少なくとも部分的に位置している、
ディスプレイパネル。
【請求項２】
前記密封構造は、前記アレイ基板及び前記カラーフィルム基板の前記側面にのみ位置しているか、又は、前記密封構造は、前記アレイ基板及び前記カラーフィルム基板の前記側面に部分的に位置しているとともに、前記アレイ基板と前記カラーフィルム基板との間のフレーム領域に部分的に位置している、請求項1に記載のディスプレイパネル。
【請求項３】
ディスプレイ装置であって、
互いに対して対向して配置されているアレイ基板及びカラーフィルム基板と、
前記アレイ基板と前記カラーフィルム基板との間に位置する液晶分子と、
前記液晶分子を密封する密封構造であって、前記密封構造は、前記アレイ基板及び前記カラーフィルム基板の側面に少なくとも部分的に位置している、密封構造と、
前記カラーフィルム基板とは反対方向に向いている前記アレイ基板の側に位置しているバックライトモジュールと、を含む、
ディスプレイ装置。
【請求項４】
前記密封構造は、前記アレイ基板及び前記カラーフィルム基板の前記側面にのみ位置しているか、又は、前記密封構造は、前記アレイ基板及び前記カラーフィルム基板の前記側面に部分的に位置しているとともに、前記アレイ基板と前記カラーフィルム基板との間のフレーム領域に部分的に位置している、請求項3に記載のディスプレイ装置。
【請求項５】
前記バックライトモジュールの側面に位置して、前記バックライトモジュールと前記アレイ基板とを接続して固定する第1の固定構造をさらに含む、請求項3又は4に記載のディスプレイ装置。
【請求項６】
前記カラーフィルム基板及び前記アレイ基板に垂直な方向において、前記アレイ基板及び前記カラーフィルム基板の前記側面に位置している前記密封構造の部分の突起は、前記第1の固定構造の突起と少なくとも部分的に重なる、請求項5に記載のディスプレイ装置。
【請求項７】
前記カラーフィルム基板及び前記アレイ基板に平行な方向において、前記第1の固定構造の前記突起は、前記アレイ基板及び前記カラーフィルム基板の前記側面に位置している前記密封構造の前記部分の前記突起を完全に覆う、請求項6に記載のディスプレイ装置。
【請求項８】
当該ディスプレイ装置は、
前記アレイ基板と前記バックライトモジュールとの間に配置されている第1の偏光子、前記アレイ基板とは反対方向に向いている前記カラーフィルム基板の側面に配置されている第2の偏光子、前記カラーフィルム基板とは反対方向に向いている前記第2の偏光子の側面に配置されているカバー、前記カバーとともに密封された空間を形成する装置ハウジング、及び、前記カバーと前記装置ハウジングとを接続して固定する第2の固定構造、をさらに含み、
前記密封された空間は、前記バックライトモジュール、前記アレイ基板、及び、前記カラーフィルム基板を収容するのに使用され、前記アレイ基板とは反対方向に向いている前記バックライトモジュールの側面と前記装置ハウジングとの間にエアギャップが存在する、請求項3乃至7のうちのいずれか1項に記載のディスプレイ装置。
【請求項９】
前記第2の固定構造は、前記カバーの側壁と前記装置ハウジングの側壁との間に位置し、前記カバーの前記側壁と前記装置ハウジングの前記側壁とを接続して固定する、請求項8に記載のディスプレイ装置。
【請求項１０】
支持構造は、前記バックライトモジュールと前記装置ハウジングとの間の前記ギャップの中に配置される、請求項9に記載のディスプレイ装置。
【請求項１１】
前記カバーに面している前記装置ハウジングの側面にある端表面は、段の表面であり、前記第2の固定構造は、前記段に位置して、前記カバーと前記装置ハウジングとを接続して固定する、請求項8に記載のディスプレイ装置。
【請求項１２】
請求項3乃至11のうちのいずれか1項に記載のディスプレイ装置を含む端末。
【請求項１３】
ディスプレイパネルの製造方法であって、当該方法は、
アレイ基板及びカラーフィルム基板を接合する前に、前記アレイ基板のフレーム領域及び/又は前記カラーフィルム基板のフレーム領域に第1のフレーム封止剤を形成するステップと、
前記第1のフレーム封止剤が形成されている側面において、前記アレイ基板及び前記カラーフィルム基板を接合し、前記第1のフレーム封止剤を硬化させて、前記アレイ基板と前記カラーフィルム基板との間に位置している前記密封構造の部分を形成するステップと、
前記アレイ基板及び前記カラーフィルム基板の側面に第2のフレーム封止剤を形成し、前記第2のフレーム封止剤を硬化させて、前記アレイ基板及び前記カラーフィルム基板の前記側面に位置している前記密封構造の部分を形成するステップと、を含む、
方法。
【発明の詳細な説明】
【技術分野】
【０００１】
この出願は、ディスプレイ技術の分野に関し、特に、ディスプレイパネル及びその製造方法、ディスプレイ装置、及び端末に関する。
【背景技術】
【０００２】
ディスプレイ技術が発展するに伴って、人々の日常生活において、大型スクリーンのディスプレイ装置の利用が増加している。同じサイズのディスプレイ装置において、ディスプレイ装置のフレーム領域を狭くして、表示領域をどのように拡大するかは、当業者が解決するべき技術的な課題となっている。
【０００３】
現在、ディスプレイ装置におけるフレーム封止剤は、そのディスプレイ装置のアレイ基板とカラーフィルム基板との間に位置している。開発の数年後に、そのディスプレイ装置のための狭フレームディスプレイ技術は、比較的成熟している。優れたディスプレイ装置においては、アレイ基板とカラーフィルム基板との間のフレーム領域は、0.6[mm]の黒枠であってもよく、そのうちの0.4[mm]は、フレーム封止剤の幅である。一方で、フレーム封止剤の接着能力が限られているため、フレーム封止剤の幅がさらに小さくなると、フレーム封止剤の密封適性が影響を受ける。その結果、ディスプレイ装置の中の液晶分子が漏洩し、周囲環境の水蒸気が、そのディスプレイ装置の内部に侵入する。この水蒸気は、そのディスプレイ装置の正常な表示動作に影響を与える。
【０００４】
したがって、フレーム封止剤の密封適性を保証しつつ、アレイ基板とカラーフィルム基板との間のフレーム封止剤の幅をいかに小さくするかは、狭いフレームの研究のボトルネックとなる。
【発明の概要】
【０００５】
第1の態様によれば、この出願のある1つの実施形態は、ディスプレイパネルであって、互いに対して対向して配置されているアレイ基板及びカラーフィルム基板と、前記アレイ基板と前記カラーフィルム基板との間に位置する液晶分子と、前記液晶分子を密封する密封構造と、を含み、前記密封構造は、前記アレイ基板及び前記カラーフィルム基板の側面に少なくとも部分的に位置している、ディスプレイパネルを提供する。
【０００６】
この出願のこの実施形態によって提供されるディスプレイパネルによれば、液晶分子を密封する密封構造は、少なくとも部分的に、アレイ基板及びカラーフィルム基板の側面に配置されて、密封構造の密封適性を保証しつつ、アレイ基板とカラーフィルム基板との間の密封構造の面積を減少させる。このように、密封構造の密封適性を保証しつつ、アレイ基板とカラーフィルム基板との間の黒枠領域を狭くし、それにより、同じサイズのディスプレイパネルにおいて、さらに、狭いフレームを実現するとともに、表示領域の面積を増加させる。
【０００７】
ある1つの実装において、密封構造は、アレイ基板及びカラーフィルム基板の側面のみに位置して、フレーム封止剤の密封適性を保証しつつ、アレイ基板とカラーフィルム基板との間の密封構造の面積を最小にする。このように、密封構造の密封適性を保証しつつ、アレイ基板とカラーフィルム基板との間の黒枠領域を最小化し、それにより、同じサイズのディスプレイパネルにおいて、最大限まで狭いフレームを実現するとともに、表示領域の面積を増加させる。
【０００８】
ある1つの実装において、密封構造は、アレイ基板及びカラーフィルム基板の側面に部分的に位置しているとともに、アレイ基板とカラーフィルム基板との間のフレーム領域に部分的に位置している。
【０００９】
第2の態様によれば、この出願のある1つの実施形態は、ディスプレイ装置であって、互いに対して対向して配置されているアレイ基板及びカラーフィルム基板と、前記アレイ基板と前記カラーフィルム基板との間に位置する液晶分子と、前記液晶分子を密封する密封構造であって、前記密封構造は、前記アレイ基板及び前記カラーフィルム基板の側面に少なくとも部分的に位置している、密封構造と、前記カラーフィルム基板とは反対方向に向いている前記アレイ基板の側に位置しているバックライトモジュールと、を含む、ディスプレイ装置を提供する。
【００１０】
この出願のこの実施形態によって提供されるディスプレイ装置によれば、液晶分子を密封する密封構造は、少なくとも部分的に、アレイ基板及びカラーフィルム基板の側面に配置されて、密封構造の密封適性を保証しつつ、アレイ基板とカラーフィルム基板との間の密封構造の面積を減少させる。このように、密封構造の密封適性を保証しつつ、アレイ基板とカラーフィルム基板との間の黒枠領域を狭くし、それにより、同じサイズのディスプレイ装置において、さらに、狭いフレームを実現するとともに、表示領域の面積を増加させる。
【００１１】
ある1つの実装において、密封構造は、アレイ基板及びカラーフィルム基板の側面のみに位置して、フレーム封止剤の密封適性を保証しつつ、アレイ基板とカラーフィルム基板との間の密封構造の面積を最小にする。このように、密封構造の密封適性を保証しつつ、アレイ基板とカラーフィルム基板との間の黒枠領域を最小化し、それにより、同じサイズのディスプレイパネルにおいて、最大限まで狭いフレームを実現するとともに、表示領域の面積を増加させる。
【００１２】
ある1つの実装において、密封構造は、アレイ基板及びカラーフィルム基板の側面に部分的に位置しているとともに、アレイ基板とカラーフィルム基板との間のフレーム領域に部分的に位置している。
【００１３】
ある1つの実装において、当該ディスプレイ装置は、バックライトモジュールの側面に位置して、バックライトモジュールとアレイ基板とを接続して固定する第1の固定構造をさらに含む。
【００１４】
ある1つの実装において、カラーフィルム基板及びアレイ基板に垂直な方向において、アレイ基板及びカラーフィルム基板の側面に位置している密封構造の部分の突起は、第1の固定構造の突起と少なくとも部分的に重なる。このように、第1の固定構造の上方の空間を部分的に利用して、ディスプレイ装置における黒枠領域を狭くするとともに、ディスプレイ装置のハウジングにおけるフレーム領域のサイズを減少させる。
【００１５】
ある1つの実装において、カラーフィルム基板及びアレイ基板に平行な方向において、第1の固定構造の突起は、アレイ基板及びカラーフィルム基板の側面に位置している密封構造の部分の突起を完全に覆う。このように、第1の固定構造の上方の空間を完全に利用して、ディスプレイ装置の装置ハウジングにおけるフレーム領域のサイズを増加させずに、ディスプレイ装置における黒枠領域を狭くする。
【００１６】
ある1つの実装において、当該ディスプレイ装置は、
前記アレイ基板と前記バックライトモジュールとの間に配置されている第1の偏光子、前記アレイ基板とは反対方向に向いている前記カラーフィルム基板の側面に配置されている第2の偏光子、前記カラーフィルム基板とは反対方向に向いている前記第2の偏光子の側面に配置されているカバー、前記カバーとともに密封された空間を形成する装置ハウジング、及び、前記カバーと前記装置ハウジングとを接続して固定する第2の固定構造、をさらに含み、
前記密封された空間は、前記バックライトモジュール、前記アレイ基板、及び、前記カラーフィルム基板を収容するのに使用され、前記アレイ基板とは反対方向に向いている前記バックライトモジュールの側面と前記装置ハウジングとの間にエアギャップが存在する。
【００１７】
ある1つの実装において、前記第2の固定構造は、前記カバーの側壁と前記装置ハウジングの側壁との間に位置し、前記カバーの前記側壁と前記装置ハウジングの前記側壁とを接続して固定する。
【００１８】
ある1つの実装において、支持構造は、前記バックライトモジュールと前記装置ハウジングとの間の前記ギャップの中に配置される。
【００１９】
ある1つの実装において、前記支持構造は、発泡接着剤である。
【００２０】
ある1つの実装において、前記カバーに面している前記装置ハウジングの側面にある端表面は、段の表面であり、前記第2の固定構造は、前記段に位置して、前記カバーと前記装置ハウジングとを接続して固定する。
【００２１】
第3の態様によれば、この出願のある1つの実施形態は、さらに、上記の複数の実装のうちのいずれか1つにしたがったディスプレイ装置を含む端末を提供する。
【００２２】
第4の態様によれば、この出願のある1つの実施形態は、ディスプレイパネルの製造方法であって、当該方法は、
アレイ基板及びカラーフィルム基板を接合する前に、前記アレイ基板のフレーム領域及び/又は前記カラーフィルム基板のフレーム領域に第1のフレーム封止剤を形成するステップと、
前記第1のフレーム封止剤が形成されている側面において、前記アレイ基板及び前記カラーフィルム基板を接合し、前記第1のフレーム封止剤を硬化させて、前記アレイ基板と前記カラーフィルム基板との間に位置している前記密封構造の部分を形成するステップと、
前記アレイ基板及び前記カラーフィルム基板の側面に第2のフレーム封止剤を形成し、前記第2のフレーム封止剤を硬化させて、前記アレイ基板及び前記カラーフィルム基板の前記側面に位置している前記密封構造の部分を形成するステップと、を含む、
ディスプレイパネルの製造方法を提供する。
【図面の簡単な説明】
【００２３】
従来技術における又は本発明の複数の実施形態における複数の技術的解決方法をより明確に説明するために、以下の記載は、それらの複数の実施形態又は従来技術を説明するのに必要となる複数の添付の図面を簡潔に説明する。明らかなことではあるが、以下の説明の中の複数の添付の図面は、本発明の複数の実施形態のうちのいくつかを示しているにすぎず、当業者は、創造的な努力を行うことなく、それらの複数の添付の図面から他の図面を導き出すことが可能である。
【００２４】
【図１】この出願のある1つの実施形態にしたがったディスプレイパネルの部分的且つ概略的な構成図である。
【図２】この出願の他の実施形態にしたがったディスプレイパネルの部分的且つ概略的な構成図である。
【図３】この出願のある1つの実施形態にしたがったディスプレイ装置の部分的且つ概略的な構成図である。
【図４】この出願の他の実施形態にしたがったディスプレイ装置の部分的且つ概略的な構成図である。
【発明を実施するための形態】
【００２５】
以下の記載は、この出願の複数の実施形態における複数の添付の図面を参照して、この出願のそれらの複数の実施形態における複数の技術的解決方法を明確且つ完全に説明する。明らかなことではあるが、複数の説明されている実施形態は、この出願のそれらの複数の実施形態のうちのすべてではなく一部であるにすぎない。創造的な努力を行うことなく、この出願のそれらの複数の実施形態に基づいて当業者が取得することが可能であるすべての他の実施形態は、この出願の保護の範囲に属するものとする。
【００２６】
以下の説明においては、多くの特定の細部が記載されて、この出願の完全な理解を容易にする。しかしながら、代替的に、本明細書において説明されている方式とは異なる他の方式によって、この出願を実装してもよく、当業者は、この出願の文理に反することなく、同様に発展させることが可能である。したがって、この出願は、以下で開示されている特定の実施形態には限定されない。
【００２７】
この出願のある1つの実施形態は、ディスプレイパネルを提供する。図1に示されているように、そのディスプレイパネルは、互いに対して対向して配置されているアレイ基板10及びカラーフィルム基板20と、アレイ基板10とカラーフィルム基板20との間に位置する(図示されていない)液晶分子と、液晶分子を密封する密封構造30と、を含み、密封構造30は、少なくとも部分的に、アレイ基板10及びカラーフィルム基板20の側面に位置している。
【００２８】
この出願のこの実施形態によって提供されるディスプレイパネルによれば、液晶分子を密封する密封構造30は、少なくとも部分的に、アレイ基板10及びカラーフィルム基板20の側面に配置されて、密封構造30の密封適性を保証しつつ、アレイ基板10とカラーフィルム基板20との間の密封構造30の長さを減少させる。このように、密封構造30の密封適性を保証し、且つ、さらに、アレイ基板10とカラーフィルム基板20との間の黒枠領域を狭くし、それにより、同じサイズのディスプレイパネルにおいて、狭いフレームを実現するとともに、表示領域の面積を増加させる。
【００２９】
上記の実施形態に基づいて、この出願のある1つの実装において、図2に示されているように、密封構造30は、アレイ基板及びカラーフィルム基板20の側面のみに位置して、フレーム封止剤の密封適性を保証しつつ、アレイ基板10とカラーフィルム基板20との間の密封構造30の面積を最小にする。このように、密封構造30の密封適性を保証しつつ、アレイ基板10とカラーフィルム基板20との間の黒枠領域を最小化し、それにより、同じサイズのディスプレイパネルにおいて、狭いフレームを実現するとともに、表示領域の面積を増加させる。
【００３０】
この出願の他の実施形態において、図1に示されているように、密封構造30は、アレイ基板10及びカラーフィルム基板20の側面に部分的に位置しているとともに、アレイ基板10とカラーフィルム基板20との間のフレーム領域に部分的に位置している。しかしながら、このことは、この出願においては限定されず、具体的には、状況に応じて決まる。
【００３１】
これに対応して、この出願のこの実施形態は、さらに、ディスプレイパネルの製造方法を提供する。密封構造30が、アレイ基板10及びカラーフィルム基板20の側面に部分的に位置しているとともに、アレイ基板10とカラーフィルム基板20との間に部分的に位置しているある1つの例において、この出願のこの実施形態におけるその製造方法は、以下のステップを含む。
【００３２】
S101.  アレイ基板10及びカラーフィルム基板20を接合する前に、アレイ基板10のフレーム領域及び/又はカラーフィルム基板20のフレーム領域に第1のフレーム封止剤を形成する。具体的には、この出願のある1つの実施形態においては、アレイ基板10のフレーム領域及び/又はカラーフィルム基板20のフレーム領域に第1のフレーム封止剤を形成するステップは、接着剤ディスペンサを使用して、アレイ基板10のフレーム領域及び/又はカラーフィルム基板20のフレーム領域に接着剤を塗布して、第1のフレーム封止剤を形成するステップを含む。
【００３３】
S102.  第1のフレーム封止剤が形成されている側面において、アレイ基板10及びカラーフィルム基板20を接合し、第1のフレーム封止剤を硬化させて、アレイ基板10とカラーフィルム基板20との間に位置している密封構造30の部分を形成する。
【００３４】
この出願のこの実施形態において、さらに、アレイ基板10とカラーフィルム基板20との間に液晶分子を含む液晶層を形成するということに留意すべきである。この出願のある1つの実施形態において、液晶層を形成するステップは、アレイ基板10及びカラーフィルム基板20を接合する前に、アレイ基板10(又は、カラーフィルム基板20)の表面のうちの第1のフレーム封止剤によって囲まれている領域に液晶を注入して、液晶層を形成するステップと、その次に、真空の環境下でアレイ基板10及びカラーフィルム基板20を接合し、そして、高温硬化を実行するステップと、を含む。この出願の他の実施形態において、液晶層を形成するステップは、第1のフレーム封止剤が形成されている側面において、アレイ基板10及びカラーフィルム基板20を接合し、そして、第1のフレーム封止剤を硬化させた後に、第1のフレーム封止剤、アレイ基板、及びカラーフィルム基板によって囲まれている空間に液晶を注入して、液晶層を形成するステップと、その次に、密閉作業を実行するステップと、を含む。このことは、この出願においては限定されず、具体的には、状況に応じて決まる。
【００３５】
S103.  アレイ基板10及びカラーフィルム基板20の側面に第2のフレーム封止剤を形成し、第2のフレーム封止剤を硬化させて、アレイ基板10及びカラーフィルム基板20の側面に位置している密封構造30の部分を形成する。
【００３６】
大量生産のためにディスプレイパネルを使用するときには、大型ディスプレイパネルを切断して、ディスプレイパネルユニットとする前に、ステップS102を実行し、大型ディスプレイパネルを切断して、ディスプレイパネルユニットとした後に、ステップS103を実行し、1つのディスプレイパネルユニットは、1つのディスプレイ装置に対応しているということに留意すべきである。
【００３７】
この出願のこの実施形態によって提供されるディスプレイパネル及びそのディスプレイパネルの製造方法によれば、上記の記載から、液晶分子を密封する密封構造30は、少なくとも部分的に、アレイ基板10及びカラーフィルム基板20の側面に配置されて、密封構造30の密封適性を保証しつつ、アレイ基板10とカラーフィルム基板20との間の密封構造30の長さを減少させるということを理解することが可能である。このように、密封構造30の密封適性を保証するとともに、さらに、アレイ基板10とカラーフィルム基板20との間の黒枠領域を狭くし、それにより、同じサイズのディスプレイパネルにおいて、狭いフレームを実現するとともに、表示領域の面積を増加させる。
【００３８】
加えて、この出願のある1つの実施形態は、さらに、ディスプレイ装置を提供する。図3に示されているように、そのディスプレイ装置は、
互いに対して対向して配置されているアレイ基板10及びカラーフィルム基板20と、
アレイ基板10とカラーフィルム基板20との間に位置する(図示されていない)液晶分子と、
液晶分子を密封する密封構造30であって、密封構造30は、アレイ基板10及びカラーフィルム基板20の側面に少なくとも部分的に位置している、密封構造30と、
カラーフィルム基板とは反対方向に向いているアレイ基板10の側に位置しているバックライトモジュール50と、を含む。
【００３９】
この出願のこの実施形態によって提供されるディスプレイ装置によれば、液晶分子を密封する密封構造30は、少なくとも部分的に、アレイ基板10及びカラーフィルム基板20の側面に配置されて、密封構造30の密封適性を保証しつつ、アレイ基板10とカラーフィルム基板20との間の密封構造30の長さを減少させる。このように、密封構造30の密封適性を保証するとともに、さらに、アレイ基板10とカラーフィルム基板20との間の黒枠領域を狭くし、それにより、同じサイズのディスプレイパネルにおいて、狭いフレームを実現するとともに、表示領域の面積を増加させる。
【００４０】
上記の実施形態に基づいて、この出願のある1つの実施形態において、密封構造30は、アレイ基板及びカラーフィルム基板20の側面のみに位置して、フレーム封止剤の密封適性を保証しつつ、アレイ基板10とカラーフィルム基板20との間の密封構造30の面積を最小にする。このように、密封構造30の密封適性を保証しつつ、アレイ基板10とカラーフィルム基板20との間の黒枠領域を最小化し、それにより、同じサイズのディスプレイパネルにおいて、狭いフレームを実現するとともに、表示領域の面積を増加させる。この出願の他の実施形態において、密封構造30は、アレイ基板10及びカラーフィルム基板20の側面に部分的に位置しているとともに、アレイ基板10とカラーフィルム基板20との間のフレーム領域に部分的に位置している。しかしながら、このことは、この出願においては限定されず、具体的には、状況に応じて決まる。
【００４１】
上記の複数の実施形態のうちのいずれか1つに基づいて、この出願のある1つの実施形態において、当該ディスプレイ装置は、第1の固定構造60をさらに含み、その第1の固定構造60は、バックライトモジュール50の側面に位置して、バックライトモジュール50とアレイ基板とを接続して固定する。この出願のこの実施形態においては、第1の固定構造60は、バックライトモジュール50及びアレイ基板の側面のみを覆ってもよく、又は、カラーフィルム基板の側面を覆うように延びていてもよく、その結果、バックライトモジュール、アレイ基板、及びカラーフィルム基板の間の堅さを改善するということに留意すべきである。
【００４２】
上記の実施形態に基づいて、この出願のある1つの実施形態において、カラーフィルム基板20及びアレイ基板10に垂直な方向において、アレイ基板10及びカラーフィルム基板20の側面に位置している密封構造30の部分の突起は、第1の固定構造60の突起と少なくとも部分的に重なる。このように、第1の固定構造60の上方の空間を部分的に利用して、ディスプレイ装置における黒枠領域を狭くするとともに、ディスプレイ装置のハウジング90におけるフレーム領域のサイズを減少させる。
【００４３】
具体的には、この出願のある1つの実施形態において、カラーフィルム基板20及びアレイ基板10に垂直な方向において、第1の固定構造60の突起は、アレイ基板10及びカラーフィルム基板20の側面に位置している密封構造30の部分の突起を完全に覆う。このように、第1の固定構造60の上方の空間を完全に利用して、ディスプレイ装置の装置ハウジングにおけるフレーム領域のサイズを増加させずに、ディスプレイ装置における黒枠領域を狭くする。
【００４４】
密封構造30が、アレイ基板10とカラーフィルム基板20との間に欠けることなく位置している従来の解決方法と比較して、この出願のこの実施形態によって提供されるディスプレイ装置においては、密封構造30の少なくとも一部は、第1の固定構造60の上方の空間を使用することによって配置されている。これにより、装置ハウジング90のサイズを増加させずに、アレイ基板10とカラーフィルム基板20との間で同等の接合強度を実現しつつ、アレイ基板10とカラーフィルム基板20との間の密封構造30の幅を50%だけ減少させることが可能であるとともに、アレイ基板10とカラーフィルム基板20との間の黒枠領域を33%だけ狭くすることが可能である。
【００４５】
上記の複数の実施形態のうちのいずれか1つに基づいて、この出願のある1つの実施形態において、さらに図3に示されているように、ディスプレイ装置は、アレイ基板10とバックライトモジュール50との間に配置されている第1の偏光子60、アレイ基板10とは反対方向に向いているカラーフィルム基板20の側面に配置されている第2の偏光子70、及び、カラーフィルム基板20とは反対方向に向いている第2の偏光子70の側に配置されているカバー80、をさらに含む。具体的には、第2の偏光子70及びカバー80は、接着剤71によって接続されて固定され、第1の偏光子60及びアレイ基板10は、光学的に透明な接着剤によって接続されて固定され、第2の偏光子70及びカラーフィルム基板20は、光学的に透明な接着剤によって接続されて固定され、その結果、第2の偏光子とカラーフィルム基板との間に気泡が発生する確率を低くし、第1の偏光子とアレイ基板との間に気泡が発生する確率を低くし、そして、ディスプレイ装置の表示品質を改善する。加えて、ディスプレイ装置は、カバー80とともに密封された空間を形成する装置ハウジング90であって、その密封された空間は、バックライトモジュール50、アレイ基板10、及びカラーフィルム基板20を収容するのに使用される、装置ハウジング90、及び、カバープレート80と装置ハウジング90とを接続して固定する第2の固定構造100、をさらに含む。アレイ基板10とは反対方向に向いているバックライトモジュール50の側面と装置ハウジング90との間に、エアギャップが存在する。この出願のこの実施形態において、装置ハウジング90が外力によって変形するときに、エアギャップは、第1の偏光子40と第2の偏光子70との間のディスプレイモジュールの損傷を回避するのに使用されるということに留意すべきである。
【００４６】
上記の実施形態に基づいて、この出願のある1つの実施形態において、図3に示されているように、第2の固定構造100は、カバー80の側壁と装置ハウジング90の側壁との間に位置して、カバー80の側壁と装置ハウジング90の側壁とを接続して固定する。この出願のこの実施形態において、支持構造110は、バックライトモジュール50と装置ハウジング90との間のギャップの中に配置され、それによって、そのギャップは、支持構造110を使用することによって、バックライトモジュール50と装置ハウジング90との間に形成される。しかしながら、このことは、この出願においては限定されない。この出願の他の実施形態においては、バックライトモジュール50と装置ハウジング90との間のギャップは、代替的に、他の方式によって形成されてもよく、その他の方式は、具体的には、状況に応じて決まる。具体的には、この出願のある1つの実施形態においては、支持構造110として発泡接着剤を使用して、支持機能を実現し、ある程度まで接合強度を改善する。しかしながら、このことは、この出願においては限定されず、具体的には、状況に応じて決まる。
【００４７】
この出願の他の実施形態において、図4に示されているように、カバー80に面している装置ハウジング90の側面にある端表面は、段の表面である。第2の固定構造100は、段に位置して、カバー80と装置ハウジング90とを接続して固定し、それによって、第2の固定構造100は、カバー80と装置ハウジング90とを固定するのに使用されるとともに、第2の固定構造100は、さらに、装置ハウジング90を持ち上げておくのに使用される。このように、ギャップは、バックライトモジュール50と装置ハウジング90との間に形成される。しかしながら、このことは、この出願においては限定されず、具体的には、状況に応じて決まる。この出願のこの実施形態においては、アレイ基板10及びカラーフィルム基板20の側面に位置している密封構造30の部分と装置ハウジング90との間に他のギャップが存在して、装置ハウジング90の側壁が外力により変形するときに、ディスプレイモジュールの損傷を回避するということに留意すべきである。
【００４８】
これに対応して、この出願のこの実施形態は、さらに、ディスプレイ装置の製造方法を提供する。密封構造30が、アレイ基板10及びカラーフィルム基板20の側面に部分的に位置しているとともに、アレイ基板10とカラーフィルム基板20との間に部分的に位置しているある1つの例において、この出願のこの実施形態における製造方法は、以下のステップを含む。
【００４９】
S201乃至S203.  ステップS201乃至S203は、ステップS101乃至S103と同様である。本明細書においては、詳細は繰り返しては説明されない。
【００５０】
S204.  バックライトモジュール50及びアレイ基板10の側面に第3のフレーム封止剤を形成し、第3のフレーム封止剤を硬化させて、アレイ基板10とバックライトモジュール50とを接続して固定するための第1の固定構造60を形成する。この出願のこの実施形態においては、第1の固定構造60は、アレイ基板10及びバックライトモジュール50の側面のみに位置していてもよく、又は、カラーフィルム基板20の側面まで延びていてもよいということに留意すべきである。しかしながら、このことは、この出願においては限定されず、具体的には、状況に応じて決まる。
【００５１】
上記の実施形態に基づいて、この出願のある1つの実施形態においては、その製造方法は、ステップS204の前に以下のステップをさらに含む。
【００５２】
S205.  カラーフィルム基板20とは反対方向に向いているアレイ基板10の側面に第1の偏光子40を固定する。具体的には、第1の偏光子40及びアレイ基板10は、平坦な接着剤接合方式によって固定されて、第1の偏光子とアレイ基板10との間に気泡が発生する確率を低くするとともに、表示品質を改善する。
【００５３】
S206.  アレイ基板10とは反対方向に向いているカラーフィルム基板20の側面に第2の偏光子70を固定する。具体的には、平坦な接着剤接合方式によって、第2の偏光子70及びカラーフィルム基板20を固定して、第2の偏光子とカラーフィルム基板との間に気泡が発生する確率を低くするとともに、表示品質を改善する。
【００５４】
S207.  カラーフィルム基板20とは反対方向に向いている第2の偏光子70の側面にカバー80を固定して、ディスプレイモジュールを形成する。
【００５５】
S208.  第2の固定構造100を使用して、カバー80と装置ハウジング90とを接続して固定し、装置ハウジング90及びカバー80は、密閉された空間を形成し、その密閉された空間を使用して、バックライトモジュール50、アレイ基板10、及び、カラーフィルム基板20を収容し、アレイ基板10とは反対方向に向いているバックライトモジュール50の側面と装置ハウジング90との間にエアギャップが存在する。
【００５６】
上記の実施形態に基づいて、この出願のある1つの実施形態において、第2の固定構造100は、カバー80の側壁と装置ハウジング90の側壁との間に位置して、カバー80の側壁と装置ハウジング90の側壁とを接続して固定する。この実施形態においては、第2の固定構造100を使用して、カバー80と装置ハウジング90とを接続して固定するステップは、カバー80に面している装置ハウジング90の側壁及び/又は装置ハウジング90に面しているカバー80の側壁に第4のフレーム封止剤を形成するステップと、第4のフレーム封止剤を硬化させて、第2の固定構造100を形成し、それにより、カバー80及び装置ハウジング90を接続して固定するステップと、を含む。
【００５７】
上記の実施形態に基づいて、この出願のある1つの実施形態において、第2の固定構造100を使用して、カバー80と装置ハウジング90とを接続して固定するステップの前に、当該方法は、
第1の偏光子40とは反対方向に向いているバックライトモジュール50の側面に支持構造110を形成し、それによって、カバー80と装置ハウジング90とを接続して固定した後に、その支持構造110を使用することによって、バックライトモジュール50と装置ハウジング90との間にギャップを形成する、ステップをさらに含む。しかしながら、このことは、この出願においては限定されない。この出願の他の実施形態においては、バックライトモジュール50と装置ハウジング90との間のギャップは、代替的に、他の方式によって形成されてもよく、その他の方式は、具体的には、状況に応じて決まる。
【００５８】
この出願の他の実施形態において、カバー80に面している装置ハウジング90の側面にある端表面は、段の表面である。第2の固定構造100は、段に位置して、カバー80と装置ハウジング90とを接続して固定し、それによって、第2の固定構造100は、カバー80と装置ハウジング90とを固定するのに使用されるとともに、第2の固定構造100は、さらに、装置ハウジング90を持ち上げておくのに使用される。このように、ギャップは、バックライトモジュール50と装置ハウジング90との間に形成される。この出願のこの実施形態においては、第2の固定構造100を使用して、カバー80と装置ハウジング90とを接続して固定するステップは、カバー80に面している装置ハウジング90の側面にある段の表面に第4のフレーム封止剤を形成するステップと、第4のフレーム封止剤を硬化させて、第2の固定構造100を形成し、それにより、カバー80及び装置ハウジング90を接続して固定するステップと、を含む。しかしながら、このことは、この出願においては限定されず、具体的には、状況に応じて決まる。この出願のこの実施形態においては、アレイ基板10及びカラーフィルム基板20の側面に位置している密封構造30の部分と装置ハウジング90との間に他のギャップが存在して、装置ハウジング90の側壁が外力により変形するときに、第1の偏光子40と第2の偏光子70との間のディスプレイモジュールの損傷を回避するということに留意すべきである。
【００５９】
この出願のこの実施形態によって提供されるディスプレイ装置は、携帯電話、タブレット、バンド、又は時計等の端末に適用されてもよいということに留意すべきである。このことは、この出願においては限定されず、状況に応じて決まる。
【００６０】
これに対応して、この出願のある1つの実施形態は、さらに、上記の複数の実施形態のうちのいずれか1つによって提供されるディスプレイ装置を含む端末を提供する。端末は、携帯電話、タブレット、バンド、又は時計等のデバイスであってもよい。
【００６１】
結論として、この出願の複数の実施形態によって提供される端末、ディスプレイ装置、及びそれらの製造方法によれば、液晶分子を密封する密封構造30は、少なくとも部分的に、アレイ基板10及びカラーフィルム基板20の側面に配置されて、密封構造30の密封適性を保証しつつ、アレイ基板10とカラーフィルム基板20との間の密封構造30の面積を減少させる。このように、密封構造30の密封適性を保証しつつ、アレイ基板10とカラーフィルム基板20との間の黒枠領域を狭くし、それにより、同じサイズのディスプレイ装置において、狭いフレームを実現するとともに、表示領域の面積を増加させる。
【００６２】
上記の説明は、この出願の特定の実装であるにすぎず、この出願の保護の範囲を限定することを意図してはいない。この出願において開示されている技術的範囲の中で、当業者が容易に考え出すことが可能であるいずれかの変更又は置換は、この出願の保護の範囲に属するものとする。したがって、この出願の保護の範囲は、請求項に記載された発明の保護の範囲にしたがうものとする。
【図１】
2020530139.tif 000003
【図２】
2020530139.tif 000004
【図３】
2020530139.tif 000005
【図４】
2020530139.tif 000006
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
ディスプレイパネルであって、
互いに対して対向して配置されているアレイ基板及びカラーフィルム基板と、
前記アレイ基板と前記カラーフィルム基板との間に位置する液晶分子と、
前記液晶分子を密封する密封構造と、を含み、前記密封構造は、前記アレイ基板及び前記カラーフィルム基板の側面に少なくとも部分的に位置している、
ディスプレイパネル。
【請求項２】
前記密封構造は、前記アレイ基板及び前記カラーフィルム基板の前記側面にのみ位置しているか、又は、前記密封構造は、前記アレイ基板及び前記カラーフィルム基板の前記側面に部分的に位置しているとともに、前記アレイ基板と前記カラーフィルム基板との間のフレーム領域に部分的に位置している、請求項1に記載のディスプレイパネル。
【請求項３】
ディスプレイ装置であって、
互いに対して対向して配置されているアレイ基板及びカラーフィルム基板と、
前記アレイ基板と前記カラーフィルム基板との間に位置する液晶分子と、
前記液晶分子を密封する密封構造であって、前記密封構造は、前記アレイ基板及び前記カラーフィルム基板の側面に少なくとも部分的に位置している、密封構造と、
前記カラーフィルム基板とは反対方向に向いている前記アレイ基板の側に位置しているバックライトモジュールと、を含む、
ディスプレイ装置。
【請求項４】
前記密封構造は、前記アレイ基板及び前記カラーフィルム基板の前記側面にのみ位置しているか、又は、前記密封構造は、前記アレイ基板及び前記カラーフィルム基板の前記側面に部分的に位置しているとともに、前記アレイ基板と前記カラーフィルム基板との間のフレーム領域に部分的に位置している、請求項3に記載のディスプレイ装置。
【請求項５】
前記バックライトモジュールの側面に位置して、前記バックライトモジュールと前記アレイ基板とを接続して固定する第1の固定構造をさらに含む、請求項3又は4に記載のディスプレイ装置。
【請求項６】
前記カラーフィルム基板及び前記アレイ基板に垂直な方向において、前記アレイ基板及び前記カラーフィルム基板の前記側面に位置している前記密封構造の部分の突起は、前記第1の固定構造の突起と少なくとも部分的に重なる、請求項5に記載のディスプレイ装置。
【請求項７】
前記カラーフィルム基板及び前記アレイ基板に平行な方向において、前記第1の固定構造の前記突起は、前記アレイ基板及び前記カラーフィルム基板の前記側面に位置している前記密封構造の前記部分の前記突起を完全に覆う、請求項6に記載のディスプレイ装置。
【請求項８】
当該ディスプレイ装置は、
前記アレイ基板と前記バックライトモジュールとの間に配置されている第1の偏光子、前記アレイ基板とは反対方向に向いている前記カラーフィルム基板の側面に配置されている第2の偏光子、前記カラーフィルム基板とは反対方向に向いている前記第2の偏光子の側面に配置されているカバー、前記カバーとともに密封された空間を形成する装置ハウジング、及び、前記カバーと前記装置ハウジングとを接続して固定する第2の固定構造、をさらに含み、
前記密封された空間は、前記バックライトモジュール、前記アレイ基板、及び、前記カラーフィルム基板を収容するのに使用され、前記アレイ基板とは反対方向に向いている前記バックライトモジュールの側面と前記装置ハウジングとの間にエアギャップが存在する、請求項3乃至7のうちのいずれか1項に記載のディスプレイ装置。
【請求項９】
前記第2の固定構造は、前記カバーの側壁と前記装置ハウジングの側壁との間に位置し、前記カバーの前記側壁と前記装置ハウジングの前記側壁とを接続して固定する、請求項8に記載のディスプレイ装置。
【請求項１０】
支持構造は、前記バックライトモジュールと前記装置ハウジングとの間の前記エアギャップの中に配置される、請求項9に記載のディスプレイ装置。
【請求項１１】
前記カバーに面している前記装置ハウジングの側面にある端表面は、段の表面であり、前記第2の固定構造は、前記段に位置して、前記カバーと前記装置ハウジングとを接続して固定する、請求項8に記載のディスプレイ装置。
【請求項１２】
請求項3乃至11のうちのいずれか1項に記載のディスプレイ装置を含む端末。
【請求項１３】
ディスプレイパネルの製造方法であって、当該方法は、
アレイ基板及びカラーフィルム基板を接合する前に、前記アレイ基板のフレーム領域及び/又は前記カラーフィルム基板のフレーム領域に第1のフレーム封止剤を形成するステップと、
前記第1のフレーム封止剤が形成されている側面において、前記アレイ基板及び前記カラーフィルム基板を接合し、前記第1のフレーム封止剤を硬化させて、前記アレイ基板と前記カラーフィルム基板との間に位置している密封構造の部分を形成するステップと、
前記アレイ基板及び前記カラーフィルム基板の側面に第2のフレーム封止剤を形成し、前記第2のフレーム封止剤を硬化させて、前記アレイ基板及び前記カラーフィルム基板の前記側面に位置している前記密封構造の部分を形成するステップと、を含む、
方法。
【手続補正２】
【補正対象書類名】明細書
【補正対象項目名】全文
【補正方法】変更
【補正の内容】
【発明の詳細な説明】
【技術分野】
【０００１】
この出願は、ディスプレイ技術の分野に関し、特に、ディスプレイパネル及びその製造方法、ディスプレイ装置、及び端末に関する。
【背景技術】
【０００２】
ディスプレイ技術が発展するに伴って、人々の日常生活において、大型スクリーンのディスプレイ装置の利用が増加している。同じサイズのディスプレイ装置において、ディスプレイ装置のフレーム領域を狭くして、表示領域をどのように拡大するかは、当業者が解決するべき技術的な課題となっている。
【０００３】
現在、ディスプレイ装置におけるフレーム封止剤は、そのディスプレイ装置のアレイ基板とカラーフィルム基板との間に位置している。開発の数年後に、そのディスプレイ装置のための狭フレームディスプレイ技術は、比較的成熟している。優れたディスプレイ装置においては、アレイ基板とカラーフィルム基板との間のフレーム領域は、0.6[mm]の黒枠であってもよく、そのうちの0.4[mm]は、フレーム封止剤の幅である。一方で、フレーム封止剤の接着能力が限られているため、フレーム封止剤の幅がさらに小さくなると、フレーム封止剤の密封適性が影響を受ける。その結果、ディスプレイ装置の中の液晶分子が漏洩し、周囲環境の水蒸気が、そのディスプレイ装置の内部に侵入する。この水蒸気は、そのディスプレイ装置の正常な表示動作に影響を与える。
【０００４】
したがって、フレーム封止剤の密封適性を保証しつつ、アレイ基板とカラーフィルム基板との間のフレーム封止剤の幅をいかに小さくするかは、狭いフレームの研究のボトルネックとなる。
【発明の概要】
【０００５】
第1の態様によれば、この出願のある1つの実施形態は、ディスプレイパネルであって、互いに対して対向して配置されているアレイ基板及びカラーフィルム基板と、前記アレイ基板と前記カラーフィルム基板との間に位置する液晶分子と、前記液晶分子を密封する密封構造と、を含み、前記密封構造は、前記アレイ基板及び前記カラーフィルム基板の側面に少なくとも部分的に位置している、ディスプレイパネルを提供する。
【０００６】
この出願のこの実施形態によって提供されるディスプレイパネルによれば、液晶分子を密封する密封構造は、少なくとも部分的に、アレイ基板及びカラーフィルム基板の側面に配置されて、密封構造の密封適性を保証しつつ、アレイ基板とカラーフィルム基板との間の密封構造の面積を減少させる。このように、密封構造の密封適性を保証しつつ、アレイ基板とカラーフィルム基板との間の黒枠領域を狭くし、それにより、同じサイズのディスプレイパネルにおいて、さらに、狭いフレームを実現するとともに、表示領域の面積を増加させる。
【０００７】
ある1つの実装において、密封構造は、アレイ基板及びカラーフィルム基板の側面のみに位置して、フレーム封止剤の密封適性を保証しつつ、アレイ基板とカラーフィルム基板との間の密封構造の面積を最小にする。このように、密封構造の密封適性を保証しつつ、アレイ基板とカラーフィルム基板との間の黒枠領域を最小化し、それにより、同じサイズのディスプレイパネルにおいて、最大限まで狭いフレームを実現するとともに、表示領域の面積を増加させる。
【０００８】
ある1つの実装において、密封構造は、アレイ基板及びカラーフィルム基板の側面に部分的に位置しているとともに、アレイ基板とカラーフィルム基板との間のフレーム領域に部分的に位置している。
【０００９】
第2の態様によれば、この出願のある1つの実施形態は、ディスプレイ装置であって、互いに対して対向して配置されているアレイ基板及びカラーフィルム基板と、前記アレイ基板と前記カラーフィルム基板との間に位置する液晶分子と、前記液晶分子を密封する密封構造であって、前記密封構造は、前記アレイ基板及び前記カラーフィルム基板の側面に少なくとも部分的に位置している、密封構造と、前記カラーフィルム基板とは反対方向に向いている前記アレイ基板の側に位置しているバックライトモジュールと、を含む、ディスプレイ装置を提供する。
【００１０】
この出願のこの実施形態によって提供されるディスプレイ装置によれば、液晶分子を密封する密封構造は、少なくとも部分的に、アレイ基板及びカラーフィルム基板の側面に配置されて、密封構造の密封適性を保証しつつ、アレイ基板とカラーフィルム基板との間の密封構造の面積を減少させる。このように、密封構造の密封適性を保証しつつ、アレイ基板とカラーフィルム基板との間の黒枠領域を狭くし、それにより、同じサイズのディスプレイ装置において、さらに、狭いフレームを実現するとともに、表示領域の面積を増加させる。
【００１１】
ある1つの実装において、密封構造は、アレイ基板及びカラーフィルム基板の側面のみに位置して、フレーム封止剤の密封適性を保証しつつ、アレイ基板とカラーフィルム基板との間の密封構造の面積を最小にする。このように、密封構造の密封適性を保証しつつ、アレイ基板とカラーフィルム基板との間の黒枠領域を最小化し、それにより、同じサイズのディスプレイパネルにおいて、最大限まで狭いフレームを実現するとともに、表示領域の面積を増加させる。
【００１２】
ある1つの実装において、密封構造は、アレイ基板及びカラーフィルム基板の側面に部分的に位置しているとともに、アレイ基板とカラーフィルム基板との間のフレーム領域に部分的に位置している。
【００１３】
ある1つの実装において、当該ディスプレイ装置は、バックライトモジュールの側面に位置して、バックライトモジュールとアレイ基板とを接続して固定する第1の固定構造をさらに含む。
【００１４】
ある1つの実装において、カラーフィルム基板及びアレイ基板に垂直な方向において、アレイ基板及びカラーフィルム基板の側面に位置している密封構造の部分の突起は、第1の固定構造の突起と少なくとも部分的に重なる。このように、第1の固定構造の上方の空間を部分的に利用して、ディスプレイ装置における黒枠領域を狭くするとともに、ディスプレイ装置の装置ハウジングにおけるフレーム領域のサイズを減少させる。
【００１５】
ある1つの実装において、カラーフィルム基板及びアレイ基板に平行な方向において、第1の固定構造の突起は、アレイ基板及びカラーフィルム基板の側面に位置している密封構造の部分の突起を完全に覆う。このように、第1の固定構造の上方の空間を完全に利用して、ディスプレイ装置の装置ハウジングにおけるフレーム領域のサイズを増加させずに、ディスプレイ装置における黒枠領域を狭くする。
【００１６】
ある1つの実装において、当該ディスプレイ装置は、
前記アレイ基板と前記バックライトモジュールとの間に配置されている第1の偏光子、前記アレイ基板とは反対方向に向いている前記カラーフィルム基板の側面に配置されている第2の偏光子、前記カラーフィルム基板とは反対方向に向いている前記第2の偏光子の側面に配置されているカバー、前記カバーとともに密封された空間を形成する装置ハウジング、及び、前記カバーと前記装置ハウジングとを接続して固定する第2の固定構造、をさらに含み、
前記密封された空間は、前記バックライトモジュール、前記アレイ基板、及び、前記カラーフィルム基板を収容するのに使用され、前記アレイ基板とは反対方向に向いている前記バックライトモジュールの側面と前記装置ハウジングとの間にエアギャップが存在する。
【００１７】
ある1つの実装において、前記第2の固定構造は、前記カバーの側壁と前記装置ハウジングの側壁との間に位置し、前記カバーの前記側壁と前記装置ハウジングの前記側壁とを接続して固定する。
【００１８】
ある1つの実装において、支持構造は、前記バックライトモジュールと前記装置ハウジングとの間の前記ギャップの中に配置される。
【００１９】
ある1つの実装において、前記支持構造は、発泡接着剤である。
【００２０】
ある1つの実装において、前記カバーに面している前記装置ハウジングの側面にある端表面は、段の表面であり、前記第2の固定構造は、前記段に位置して、前記カバーと前記装置ハウジングとを接続して固定する。
【００２１】
第3の態様によれば、この出願のある1つの実施形態は、さらに、上記の複数の実装のうちのいずれか1つにしたがったディスプレイ装置を含む端末を提供する。
【００２２】
第4の態様によれば、この出願のある1つの実施形態は、ディスプレイパネルの製造方法であって、当該方法は、
アレイ基板及びカラーフィルム基板を接合する前に、前記アレイ基板のフレーム領域及び/又は前記カラーフィルム基板のフレーム領域に第1のフレーム封止剤を形成するステップと、
前記第1のフレーム封止剤が形成されている側面において、前記アレイ基板及び前記カラーフィルム基板を接合し、前記第1のフレーム封止剤を硬化させて、前記アレイ基板と前記カラーフィルム基板との間に位置している前記密封構造の部分を形成するステップと、
前記アレイ基板及び前記カラーフィルム基板の側面に第2のフレーム封止剤を形成し、前記第2のフレーム封止剤を硬化させて、前記アレイ基板及び前記カラーフィルム基板の前記側面に位置している前記密封構造の部分を形成するステップと、を含む、
ディスプレイパネルの製造方法を提供する。
【図面の簡単な説明】
【００２３】
従来技術における又は本発明の複数の実施形態における複数の技術的解決方法をより明確に説明するために、以下の記載は、それらの複数の実施形態又は従来技術を説明するのに必要となる複数の添付の図面を簡潔に説明する。明らかなことではあるが、以下の説明の中の複数の添付の図面は、本発明の複数の実施形態のうちのいくつかを示しているにすぎず、当業者は、創造的な努力を行うことなく、それらの複数の添付の図面から他の図面を導き出すことが可能である。
【００２４】
【図１】この出願のある1つの実施形態にしたがったディスプレイパネルの部分的且つ概略的な構成図である。
【図２】この出願の他の実施形態にしたがったディスプレイパネルの部分的且つ概略的な構成図である。
【図３】この出願のある1つの実施形態にしたがったディスプレイ装置の部分的且つ概略的な構成図である。
【図４】この出願の他の実施形態にしたがったディスプレイ装置の部分的且つ概略的な構成図である。
【発明を実施するための形態】
【００２５】
以下の記載は、この出願の複数の実施形態における複数の添付の図面を参照して、この出願のそれらの複数の実施形態における複数の技術的解決方法を明確且つ完全に説明する。明らかなことではあるが、複数の説明されている実施形態は、この出願のそれらの複数の実施形態のうちのすべてではなく一部であるにすぎない。創造的な努力を行うことなく、この出願のそれらの複数の実施形態に基づいて当業者が取得することが可能であるすべての他の実施形態は、この出願の保護の範囲に属するものとする。
【００２６】
以下の説明においては、多くの特定の細部が記載されて、この出願の完全な理解を容易にする。しかしながら、代替的に、本明細書において説明されている方式とは異なる他の方式によって、この出願を実装してもよく、当業者は、この出願の文理に反することなく、同様に発展させることが可能である。したがって、この出願は、以下で開示されている特定の実施形態には限定されない。
【００２７】
この出願のある1つの実施形態は、ディスプレイパネルを提供する。図1に示されているように、そのディスプレイパネルは、互いに対して対向して配置されているアレイ基板10及びカラーフィルム基板20と、アレイ基板10とカラーフィルム基板20との間に位置する(図示されていない)液晶分子と、液晶分子を密封する密封構造30と、を含み、密封構造30は、少なくとも部分的に、アレイ基板10及びカラーフィルム基板20の側面に位置している。
【００２８】
この出願のこの実施形態によって提供されるディスプレイパネルによれば、液晶分子を密封する密封構造30は、少なくとも部分的に、アレイ基板10及びカラーフィルム基板20の側面に配置されて、密封構造30の密封適性を保証しつつ、アレイ基板10とカラーフィルム基板20との間の密封構造30の長さを減少させる。このように、密封構造30の密封適性を保証し、且つ、さらに、アレイ基板10とカラーフィルム基板20との間の黒枠領域を狭くし、それにより、同じサイズのディスプレイパネルにおいて、狭いフレームを実現するとともに、表示領域の面積を増加させる。
【００２９】
上記の実施形態に基づいて、この出願のある1つの実装において、図2に示されているように、密封構造30は、アレイ基板10及びカラーフィルム基板20の側面のみに位置して、フレーム封止剤の密封適性を保証しつつ、アレイ基板10とカラーフィルム基板20との間の密封構造30の面積を最小にする。このように、密封構造30の密封適性を保証しつつ、アレイ基板10とカラーフィルム基板20との間の黒枠領域を最小化し、それにより、同じサイズのディスプレイパネルにおいて、狭いフレームを実現するとともに、表示領域の面積を増加させる。
【００３０】
この出願の他の実施形態において、図1に示されているように、密封構造30は、アレイ基板10及びカラーフィルム基板20の側面に部分的に位置しているとともに、アレイ基板10とカラーフィルム基板20との間のフレーム領域に部分的に位置している。しかしながら、このことは、この出願においては限定されず、具体的には、状況に応じて決まる。
【００３１】
これに対応して、この出願のこの実施形態は、さらに、ディスプレイパネルの製造方法を提供する。密封構造30が、アレイ基板10及びカラーフィルム基板20の側面に部分的に位置しているとともに、アレイ基板10とカラーフィルム基板20との間に部分的に位置しているある1つの例において、この出願のこの実施形態におけるその製造方法は、以下のステップを含む。
【００３２】
S101.  アレイ基板10及びカラーフィルム基板20を接合する前に、アレイ基板10のフレーム領域及び/又はカラーフィルム基板20のフレーム領域に第1のフレーム封止剤を形成する。具体的には、この出願のある1つの実施形態においては、アレイ基板10のフレーム領域及び/又はカラーフィルム基板20のフレーム領域に第1のフレーム封止剤を形成するステップは、接着剤ディスペンサを使用して、アレイ基板10のフレーム領域及び/又はカラーフィルム基板20のフレーム領域に接着剤を塗布して、第1のフレーム封止剤を形成するステップを含む。
【００３３】
S102.  第1のフレーム封止剤が形成されている側面において、アレイ基板10及びカラーフィルム基板20を接合し、第1のフレーム封止剤を硬化させて、アレイ基板10とカラーフィルム基板20との間に位置している密封構造30の部分を形成する。
【００３４】
この出願のこの実施形態において、さらに、アレイ基板10とカラーフィルム基板20との間に液晶分子を含む液晶層を形成するということに留意すべきである。この出願のある1つの実施形態において、液晶層を形成するステップは、アレイ基板10及びカラーフィルム基板20を接合する前に、アレイ基板10(又は、カラーフィルム基板20)の表面のうちの第1のフレーム封止剤によって囲まれている領域に液晶を注入して、液晶層を形成するステップと、その次に、真空の環境下でアレイ基板10及びカラーフィルム基板20を接合し、そして、高温硬化を実行するステップと、を含む。この出願の他の実施形態において、液晶層を形成するステップは、第1のフレーム封止剤が形成されている側面において、アレイ基板10及びカラーフィルム基板20を接合し、そして、第1のフレーム封止剤を硬化させた後に、第1のフレーム封止剤、アレイ基板、及びカラーフィルム基板によって囲まれている空間に液晶を注入して、液晶層を形成するステップと、その次に、密閉作業を実行するステップと、を含む。このことは、この出願においては限定されず、具体的には、状況に応じて決まる。
【００３５】
S103.  アレイ基板10及びカラーフィルム基板20の側面に第2のフレーム封止剤を形成し、第2のフレーム封止剤を硬化させて、アレイ基板10及びカラーフィルム基板20の側面に位置している密封構造30の部分を形成する。
【００３６】
大量生産のためにディスプレイパネルを使用するときには、大型ディスプレイパネルを切断して、ディスプレイパネルユニットとする前に、ステップS102を実行し、大型ディスプレイパネルを切断して、ディスプレイパネルユニットとした後に、ステップS103を実行し、1つのディスプレイパネルユニットは、1つのディスプレイ装置に対応しているということに留意すべきである。
【００３７】
この出願のこの実施形態によって提供されるディスプレイパネル及びそのディスプレイパネルの製造方法によれば、上記の記載から、液晶分子を密封する密封構造30は、少なくとも部分的に、アレイ基板10及びカラーフィルム基板20の側面に配置されて、密封構造30の密封適性を保証しつつ、アレイ基板10とカラーフィルム基板20との間の密封構造30の長さを減少させるということを理解することが可能である。このように、密封構造30の密封適性を保証するとともに、さらに、アレイ基板10とカラーフィルム基板20との間の黒枠領域を狭くし、それにより、同じサイズのディスプレイパネルにおいて、狭いフレームを実現するとともに、表示領域の面積を増加させる。
【００３８】
加えて、この出願のある1つの実施形態は、さらに、ディスプレイ装置を提供する。図3に示されているように、そのディスプレイ装置は、
互いに対して対向して配置されているアレイ基板10及びカラーフィルム基板20と、
アレイ基板10とカラーフィルム基板20との間に位置する(図示されていない)液晶分子と、
液晶分子を密封する密封構造30であって、密封構造30は、アレイ基板10及びカラーフィルム基板20の側面に少なくとも部分的に位置している、密封構造30と、
カラーフィルム基板20とは反対方向に向いているアレイ基板10の側に位置しているバックライトモジュール50と、を含む。
【００３９】
この出願のこの実施形態によって提供されるディスプレイ装置によれば、液晶分子を密封する密封構造30は、少なくとも部分的に、アレイ基板10及びカラーフィルム基板20の側面に配置されて、密封構造30の密封適性を保証しつつ、アレイ基板10とカラーフィルム基板20との間の密封構造30の長さを減少させる。このように、密封構造30の密封適性を保証するとともに、さらに、アレイ基板10とカラーフィルム基板20との間の黒枠領域を狭くし、それにより、同じサイズのディスプレイパネルにおいて、狭いフレームを実現するとともに、表示領域の面積を増加させる。
【００４０】
上記の実施形態に基づいて、この出願のある1つの実施形態において、密封構造30は、アレイ基板10及びカラーフィルム基板20の側面のみに位置して、フレーム封止剤の密封適性を保証しつつ、アレイ基板10とカラーフィルム基板20との間の密封構造30の面積を最小にする。このように、密封構造30の密封適性を保証しつつ、アレイ基板10とカラーフィルム基板20との間の黒枠領域を最小化し、それにより、同じサイズのディスプレイパネルにおいて、狭いフレームを実現するとともに、表示領域の面積を増加させる。この出願の他の実施形態において、密封構造30は、アレイ基板10及びカラーフィルム基板20の側面に部分的に位置しているとともに、アレイ基板10とカラーフィルム基板20との間のフレーム領域に部分的に位置している。しかしながら、このことは、この出願においては限定されず、具体的には、状況に応じて決まる。
【００４１】
上記の複数の実施形態のうちのいずれか1つに基づいて、この出願のある1つの実施形態において、当該ディスプレイ装置は、第1の固定構造60をさらに含み、その第1の固定構造60は、バックライトモジュール50の側面に位置して、バックライトモジュール50とアレイ基板10とを接続して固定する。この出願のこの実施形態においては、第1の固定構造60は、バックライトモジュール50及びアレイ基板の側面のみを覆ってもよく、又は、カラーフィルム基板20の側面を覆うように延びていてもよく、その結果、バックライトモジュール50、アレイ基板10、及びカラーフィルム基板20の間の堅さを改善するということに留意すべきである。
【００４２】
上記の実施形態に基づいて、この出願のある1つの実施形態において、カラーフィルム基板20及びアレイ基板10に垂直な方向において、アレイ基板10及びカラーフィルム基板20の側面に位置している密封構造30の部分の突起は、第1の固定構造60の突起と少なくとも部分的に重なる。このように、第1の固定構造60の上方の空間を部分的に利用して、ディスプレイ装置における黒枠領域を狭くするとともに、ディスプレイ装置の装置ハウジング90におけるフレーム領域のサイズを減少させる。
【００４３】
具体的には、この出願のある1つの実施形態において、カラーフィルム基板20及びアレイ基板10に垂直な方向において、第1の固定構造60の突起は、アレイ基板10及びカラーフィルム基板20の側面に位置している密封構造30の部分の突起を完全に覆う。このように、第1の固定構造60の上方の空間を完全に利用して、ディスプレイ装置の装置ハウジングにおけるフレーム領域のサイズを増加させずに、ディスプレイ装置における黒枠領域を狭くする。
【００４４】
密封構造30が、アレイ基板10とカラーフィルム基板20との間に欠けることなく位置している従来の解決方法と比較して、この出願のこの実施形態によって提供されるディスプレイ装置においては、密封構造30の少なくとも一部は、第1の固定構造60の上方の空間を使用することによって配置されている。これにより、装置ハウジング90のサイズを増加させずに、アレイ基板10とカラーフィルム基板20との間で同等の接合強度を実現しつつ、アレイ基板10とカラーフィルム基板20との間の密封構造30の幅を50%だけ減少させることが可能であるとともに、アレイ基板10とカラーフィルム基板20との間の黒枠領域を33%だけ狭くすることが可能である。
【００４５】
上記の複数の実施形態のうちのいずれか1つに基づいて、この出願のある1つの実施形態において、さらに図3に示されているように、ディスプレイ装置は、アレイ基板10とバックライトモジュール50との間に配置されている第1の偏光子40、アレイ基板10とは反対方向に向いているカラーフィルム基板20の側面に配置されている第2の偏光子70、及び、カラーフィルム基板20とは反対方向に向いている第2の偏光子70の側に配置されているカバー80、をさらに含む。具体的には、第2の偏光子70及びカバー80は、接着剤71によって接続されて固定され、第1の偏光子40及びアレイ基板10は、光学的に透明な接着剤によって接続されて固定され、第2の偏光子70及びカラーフィルム基板20は、光学的に透明な接着剤によって接続されて固定され、その結果、第2の偏光子70とカラーフィルム基板20との間に気泡が発生する確率を低くし、第1の偏光子とアレイ基板との間に気泡が発生する確率を低くし、そして、ディスプレイ装置の表示品質を改善する。加えて、ディスプレイ装置は、カバー80とともに密封された空間を形成する装置ハウジング90であって、その密封された空間は、バックライトモジュール50、アレイ基板10、及びカラーフィルム基板20を収容するのに使用される、装置ハウジング90、及び、カバー80と装置ハウジング90とを接続して固定する第2の固定構造100、をさらに含む。アレイ基板10とは反対方向に向いているバックライトモジュール50の側面と装置ハウジング90との間に、エアギャップが存在する。この出願のこの実施形態において、装置ハウジング90が外力によって変形するときに、エアギャップは、第1の偏光子40と第2の偏光子70との間のディスプレイモジュールの損傷を回避するのに使用されるということに留意すべきである。
【００４６】
上記の実施形態に基づいて、この出願のある1つの実施形態において、図3に示されているように、第2の固定構造100は、カバー80の側壁と装置ハウジング90の側壁との間に位置して、カバー80の側壁と装置ハウジング90の側壁とを接続して固定する。この出願のこの実施形態において、支持構造110は、バックライトモジュール50と装置ハウジング90との間のギャップの中に配置され、それによって、そのギャップは、支持構造110を使用することによって、バックライトモジュール50と装置ハウジング90との間に形成される。しかしながら、このことは、この出願においては限定されない。この出願の他の実施形態においては、バックライトモジュール50と装置ハウジング90との間のギャップは、代替的に、他の方式によって形成されてもよく、その他の方式は、具体的には、状況に応じて決まる。具体的には、この出願のある1つの実施形態においては、支持構造110として発泡接着剤を使用して、支持機能を実現し、ある程度まで接合強度を改善する。しかしながら、このことは、この出願においては限定されず、具体的には、状況に応じて決まる。
【００４７】
この出願の他の実施形態において、図4に示されているように、カバー80に面している装置ハウジング90の側面にある端表面は、段の表面である。第2の固定構造100は、段に位置して、カバー80と装置ハウジング90とを接続して固定し、それによって、第2の固定構造100は、カバー80と装置ハウジング90とを固定するのに使用されるとともに、第2の固定構造100は、さらに、装置ハウジング90を持ち上げておくのに使用される。このように、ギャップは、バックライトモジュール50と装置ハウジング90との間に形成される。しかしながら、このことは、この出願においては限定されず、具体的には、状況に応じて決まる。この出願のこの実施形態においては、アレイ基板10及びカラーフィルム基板20の側面に位置している密封構造30の部分と装置ハウジング90との間に他のギャップが存在して、装置ハウジング90の側壁が外力により変形するときに、ディスプレイモジュールの損傷を回避するということに留意すべきである。
【００４８】
これに対応して、この出願のこの実施形態は、さらに、ディスプレイ装置の製造方法を提供する。密封構造30が、アレイ基板10及びカラーフィルム基板20の側面に部分的に位置しているとともに、アレイ基板10とカラーフィルム基板20との間に部分的に位置しているある1つの例において、この出願のこの実施形態における製造方法は、以下のステップを含む。
【００４９】
S201乃至S203.  ステップS201乃至S203は、ステップS101乃至S103と同様である。本明細書においては、詳細は繰り返しては説明されない。
【００５０】
S204.  バックライトモジュール50及びアレイ基板10の側面に第3のフレーム封止剤を形成し、第3のフレーム封止剤を硬化させて、アレイ基板10とバックライトモジュール50とを接続して固定するための第1の固定構造60を形成する。この出願のこの実施形態においては、第1の固定構造60は、アレイ基板10及びバックライトモジュール50の側面のみに位置していてもよく、又は、カラーフィルム基板20の側面まで延びていてもよいということに留意すべきである。しかしながら、このことは、この出願においては限定されず、具体的には、状況に応じて決まる。
【００５１】
上記の実施形態に基づいて、この出願のある1つの実施形態においては、その製造方法は、ステップS204の前に以下のステップをさらに含む。
【００５２】
S205.  カラーフィルム基板20とは反対方向に向いているアレイ基板10の側面に第1の偏光子40を固定する。具体的には、第1の偏光子40及びアレイ基板10は、平坦な接着剤接合方式によって固定されて、第1の偏光子40とアレイ基板10との間に気泡が発生する確率を低くするとともに、表示品質を改善する。
【００５３】
S206.  アレイ基板10とは反対方向に向いているカラーフィルム基板20の側面に第2の偏光子70を固定する。具体的には、平坦な接着剤接合方式によって、第2の偏光子70及びカラーフィルム基板20を固定して、第2の偏光子70とカラーフィルム基板20との間に気泡が発生する確率を低くするとともに、表示品質を改善する。
【００５４】
S207.  カラーフィルム基板20とは反対方向に向いている第2の偏光子70の側面にカバー80を固定して、ディスプレイモジュールを形成する。
【００５５】
S208.  第2の固定構造100を使用して、カバー80と装置ハウジング90とを接続して固定し、装置ハウジング90及びカバー80は、密閉された空間を形成し、その密閉された空間を使用して、バックライトモジュール50、アレイ基板10、及び、カラーフィルム基板20を収容し、アレイ基板10とは反対方向に向いているバックライトモジュール50の側面と装置ハウジング90との間にエアギャップが存在する。
【００５６】
上記の実施形態に基づいて、この出願のある1つの実施形態において、第2の固定構造100は、カバー80の側壁と装置ハウジング90の側壁との間に位置して、カバー80の側壁と装置ハウジング90の側壁とを接続して固定する。この実施形態においては、第2の固定構造100を使用して、カバー80と装置ハウジング90とを接続して固定するステップは、カバー80に面している装置ハウジング90の側壁及び/又は装置ハウジング90に面しているカバー80の側壁に第4のフレーム封止剤を形成するステップと、第4のフレーム封止剤を硬化させて、第2の固定構造100を形成し、それにより、カバー80及び装置ハウジング90を接続して固定するステップと、を含む。
【００５７】
上記の実施形態に基づいて、この出願のある1つの実施形態において、第2の固定構造100を使用して、カバー80と装置ハウジング90とを接続して固定するステップの前に、当該方法は、
第1の偏光子40とは反対方向に向いているバックライトモジュール50の側面に支持構造110を形成し、それによって、カバー80と装置ハウジング90とを接続して固定した後に、その支持構造110を使用することによって、バックライトモジュール50と装置ハウジング90との間にギャップを形成する、ステップをさらに含む。しかしながら、このことは、この出願においては限定されない。この出願の他の実施形態においては、バックライトモジュール50と装置ハウジング90との間のギャップは、代替的に、他の方式によって形成されてもよく、その他の方式は、具体的には、状況に応じて決まる。
【００５８】
この出願の他の実施形態において、カバー80に面している装置ハウジング90の側面にある端表面は、段の表面である。第2の固定構造100は、段に位置して、カバー80と装置ハウジング90とを接続して固定し、それによって、第2の固定構造100は、カバー80と装置ハウジング90とを固定するのに使用されるとともに、第2の固定構造100は、さらに、装置ハウジング90を持ち上げておくのに使用される。このように、ギャップは、バックライトモジュール50と装置ハウジング90との間に形成される。この出願のこの実施形態においては、第2の固定構造100を使用して、カバー80と装置ハウジング90とを接続して固定するステップは、カバー80に面している装置ハウジング90の側面にある段の表面に第4のフレーム封止剤を形成するステップと、第4のフレーム封止剤を硬化させて、第2の固定構造100を形成し、それにより、カバー80及び装置ハウジング90を接続して固定するステップと、を含む。しかしながら、このことは、この出願においては限定されず、具体的には、状況に応じて決まる。この出願のこの実施形態においては、アレイ基板10及びカラーフィルム基板20の側面に位置している密封構造30の部分と装置ハウジング90との間に他のギャップが存在して、装置ハウジング90の側壁が外力により変形するときに、第1の偏光子40と第2の偏光子70との間のディスプレイモジュールの損傷を回避するということに留意すべきである。
【００５９】
この出願のこの実施形態によって提供されるディスプレイ装置は、携帯電話、タブレット、バンド、又は時計等の端末に適用されてもよいということに留意すべきである。このことは、この出願においては限定されず、状況に応じて決まる。
【００６０】
これに対応して、この出願のある1つの実施形態は、さらに、上記の複数の実施形態のうちのいずれか1つによって提供されるディスプレイ装置を含む端末を提供する。端末は、携帯電話、タブレット、バンド、又は時計等のデバイスであってもよい。
【００６１】
結論として、この出願の複数の実施形態によって提供される端末、ディスプレイ装置、及びそれらの製造方法によれば、液晶分子を密封する密封構造30は、少なくとも部分的に、アレイ基板10及びカラーフィルム基板20の側面に配置されて、密封構造30の密封適性を保証しつつ、アレイ基板10とカラーフィルム基板20との間の密封構造30の面積を減少させる。このように、密封構造30の密封適性を保証しつつ、アレイ基板10とカラーフィルム基板20との間の黒枠領域を狭くし、それにより、同じサイズのディスプレイ装置において、狭いフレームを実現するとともに、表示領域の面積を増加させる。
【００６２】
上記の説明は、この出願の特定の実装であるにすぎず、この出願の保護の範囲を限定することを意図してはいない。この出願において開示されている技術的範囲の中で、当業者が容易に考え出すことが可能であるいずれかの変更又は置換は、この出願の保護の範囲に属するものとする。したがって、この出願の保護の範囲は、請求項に記載された発明の保護の範囲にしたがうものとする。
【国際調査報告】
2020530139.tif 000007
2020530139.tif 000008
2020530139.tif 000009
2020530139.tif 000010
2020530139.tif 000011